(57)【要約】【課題】  本発明の目的は、傾き動作が可能なディスプレイ部を備えた車載用ディスプレイ装置において、輻射ノイズや静電気への耐性を向上させることにある。【解決手段】  本発明に係る車載用ディスプレイ装置は、画像表示面を有するディスプレイ部と、前記ディスプレイ部を収納するインナーエスカッションと、前記ディスプレイ部の傾き動作を行うためのチルト機構と、を備え、前記インナーエスカッションの側面には、溝部が設けられており、前記溝部は、前記ディスプレイ装置の筐体との電気的導通が可能な素材で構成される波状の突起を有する壁面を備え、前記ディスプレイ部は、側面に、前記溝部の壁面の突起に嵌るギヤ部を回転可能に備え、前記ギヤ部は、前記ディスプレイ部との電気的導通が可能な素材で構成され、前記溝部の底面方向に力を発生させる弾性部材により付勢されている、ことを特徴とする。【選択図】図３
2013006558.tif 000002
【特許請求の範囲】
【請求項１】
画像表示面を有するディスプレイ部と、
前記ディスプレイ部を収納するインナーエスカッションと、
前記ディスプレイ部の傾き動作を行うためのチルト機構と、を備え、
前記インナーエスカッションの側面には、溝部が設けられており、
前記溝部は、前記ディスプレイ装置の筐体との電気的導通が可能な素材で構成される波状の突起を有する壁面を備え、
前記ディスプレイ部は、側面に、前記溝部の壁面の突起に嵌るギヤ部を回転可能に備え、
前記ギヤ部は、前記ディスプレイ部との電気的導通が可能な素材で構成され、前記溝部の底面方向に力を発生させる弾性部材により付勢されている、
ことを特徴とする車載用ディスプレイ装置。
【請求項２】
画像表示面を有するディスプレイ部と、
前記ディスプレイ部を収納するインナーエスカッションと、
前記ディスプレイ部の上方部を前記インナーエスカッションとの距離を所定に保ちつつ移動させるとともに、前記ディスプレイ部の下方部を前記インナーエスカッションとの距離が変化するように移動させることにより、前記ディスプレイ部の傾き動作を行うチルト機構と、を備え、
前記インナーエスカッションの側面には、溝部が設けられており、
前記溝部は、前記ディスプレイ装置の筐体との電気的導通が可能な素材で構成される波状の突起を有する壁面を備え、
前記ディスプレイ部は、側面に、前記溝部の壁面の突起に嵌るギヤ部を回転可能に備え、
前記ギヤ部は、前記ディスプレイ部との電気的導通が可能な素材で構成され、前記溝部と嵌め合わされることで上下方向に移動を制限され、前記溝部の底面方向に力を発生させる弾性部材により付勢されている、
ことを特徴とする車載用ディスプレイ装置。
【請求項３】
請求項１または２に記載の車載用ディスプレイ装置であって、
前記弾性部材は、
前記ディスプレイ部のギヤ部を前記インナーエスカッションの内壁面方向に押し付ける力を発生させるばねである
ことを特徴とする車載用ディスプレイ装置。
【請求項４】
請求項１または３に記載の車載用ディスプレイ装置であって、
前記ディスプレイ部の前記ギヤ部は、前記インナーエスカッションの溝部の前記突起に沿って回転しながら上下方向にスライド移動可能であり、
前記ギヤ部は、前記弾性部材との間にガイド部を備え、
前記ガイド部は、前記ギヤ部側から前記弾性部材側に向かって直径が大きくなる円柱状の部材である、
ことを特徴とする車載用ディスプレイ装置。
【請求項５】
請求項１に記載の車載用ディスプレイ装置であって、
前記チルト機構は、前記ディスプレイ部の下方部とヒンジ結合し、かつ前記インナーエスカッションの主面に対して直行方向にスライド移動可能なスライド部材を含んで構成される、
ことを特徴とする車載用ディスプレイ装置。
【請求項６】
請求項５に記載の車載用ディスプレイ装置であって、
前記スライド部材は、モータによりギアを介してスライド移動がなされる
ことを特徴とする車載用ディスプレイ装置。
【請求項７】
画像表示面を有するディスプレイ部と、
前記ディスプレイ部を収納するインナーエスカッションと、
前記ディスプレイ部の傾き動作を行うためのチルト機構と、を備え、
前記インナーエスカッションの側面には、溝部が設けられており、
前記溝部は、前記ディスプレイ装置の筐体との電気的導通が可能な素材で構成される波状の突起を有する壁面を備え、
前記ディスプレイ部は、側面に、前記溝部の壁面の突起に嵌るギヤ部を回転可能に備え、
前記ギヤ部は、
前記ディスプレイ部との電気的導通が可能な素材で構成され、
前記ディスプレイ部の外側面から、前記ディスプレイ部のチルト動作における移動方向の直交方向と平行な方向に突出する軸を共通の回転の軸とする第一のギヤと第二のギヤとを有し、
前記第一のギヤと、前記第二のギヤとは、回転による位相のずれを補正するための位相調整手段を備える、
ことを特徴とする車載用ディスプレイ装置。
【請求項８】
請求項７に記載の車載用ディスプレイ装置であって、
前記位相調整手段は、はさみばねを含んで構成される、
ことを特徴とする車載用ディスプレイ装置。
【請求項９】
画像表示面を有するディスプレイ部と、
前記ディスプレイ部を収納するインナーエスカッションと、
前記ディスプレイ部の傾き動作を行うためのチルト機構と、を備え、
前記インナーエスカッションの側面には、溝部が設けられており、
前記溝部は、前記ディスプレイ装置の筐体との電気的導通が可能な素材で構成される波状の突起を有する壁面を備え、
前記ディスプレイ部は、側面に、前記溝部の壁面の突起に嵌るギヤ部を回転可能に備え、
前記ギヤ部は、
前記ディスプレイ部との電気的導通が可能な素材で構成され、前記溝部の底面方向に力を発生させる弾性部材により付勢されており、
前記ディスプレイ部の外側面から、前記ディスプレイ部のチルト動作における移動方向の直交方向と平行な方向に突出する軸を共通の回転の軸とする第一のギヤと第二のギヤとを有し、
前記第一のギヤと、前記第二のギヤとは、回転による位相のずれを補正するための位相調整手段を備える、
ことを特徴とする車載用ディスプレイ装置。
【発明の詳細な説明】
【技術分野】
【０００１】
本発明は、車載用ディスプレイ装置に関する。
【背景技術】
【０００２】
車載用ディスプレイ装置の中には、画像表示面を有するディスプレイ部の傾きを変更可能なものがある。このような車載用ディスプレイ装置では、ディスプレイ部を支持する部材がヒンジ機構やスライド機構により結合し、部材間の位置関係の変位により、ディスプレイ部の傾き動作を達成している（特許文献１等参照）。
【先行技術文献】
【特許文献】
【０００３】
【特許文献１】特開平９−３０９３８８号公報
【発明の概要】
【発明が解決しようとする課題】
【０００４】
しかし、ヒンジ機構やスライド機構で部材間が結合されている場合、その部分の部材の間には、スムーズな動作のため、所定のクリアランスが設けられている。そのため、シャシーとの電気的導通が確保しづらく、ディスプレイ部のアースを安定して確保することが難しい場合がある。
【０００５】
本発明は、上記課題を解決すべくなされたものであり、傾き動作が可能なディスプレイ部を備えた車載用ディスプレイ装置において、輻射ノイズや静電気への耐性を向上させることを目的とする。
【課題を解決するための手段】
【０００６】
上記課題を解決すべく、本願発明の車載用ディスプレイ装置は、画像表示面を有するディスプレイ部と、前記ディスプレイ部を収納するインナーエスカッションと、前記ディスプレイ部の傾き動作を行うためのチルト機構と、を備え、前記インナーエスカッションの側面には、溝部が設けられており、前記溝部は、前記ディスプレイ装置の筐体との電気的導通が可能な素材で構成される波状の突起を有する壁面を備え、前記ディスプレイ部は、側面に、前記溝部の壁面の突起に嵌るギヤ部を回転可能に備え、前記ギヤ部は、前記ディスプレイ部との電気的導通が可能な素材で構成され、前記溝部の底面方向に力を発生させる弾性部材により付勢されている、ことを特徴とする。
【０００７】
また、本願発明の車載用ディスプレイ装置は、画像表示面を有するディスプレイ部と、前記ディスプレイ部を収納するインナーエスカッションと、前記ディスプレイ部の上方部を前記インナーエスカッションとの距離を所定に保ちつつ移動させるとともに、前記ディスプレイ部の下方部を前記インナーエスカッションとの距離が変化するように移動させることにより、前記ディスプレイ部の傾き動作を行うチルト機構と、を備え、前記インナーエスカッションの側面には、溝部が設けられており、前記溝部は、前記ディスプレイ装置の筐体との電気的導通が可能な素材で構成される波状の突起を有する壁面を備え、前記ディスプレイ部は、側面に、前記溝部の壁面の突起に嵌るギヤ部を回転可能に備え、前記ギヤ部は、前記ディスプレイ部との電気的導通が可能な素材で構成され、前記溝部と嵌め合わされることで上下方向に移動を制限され、前記溝部の底面方向に力を発生させる弾性部材により付勢されている、ことを特徴とする。
【発明の効果】
【０００８】
本願発明によれば、傾き動作が可能なディスプレイ部を備えた車載用ディスプレイ装置において、輻射ノイズや静電気への耐性を向上させることが可能となる。
【図面の簡単な説明】
【０００９】
【図１】車載器の斜視図である。
【図２】Ａはディスプレイ部のローラ部の移動原理を説明する模式図である。              Ｂはディスプレイ部のローラ部の移動原理を説明する模式図である。
【図３】第一の実施形態に係るディスプレイ部のローラ部の構造を示す図である。
【図４】第二の実施形態に係るディスプレイ部のローラ部の構造を示す図である。
【図５】Ａは第二の実施形態に係るディスプレイ部のローラ部の構造を示す図である。                                                                                  Ｂは第二の実施形態に係るディスプレイ部のローラ部の構造を示す図である。
【図６】第三の実施形態に係るディスプレイ部のローラ部の構造を示す図である。
【発明を実施するための形態】
【００１０】
以下に、本発明が適用された車載器１について、図１〜図６を参照して説明する。なお、図１〜図６は、車載器１の全ての構成を示すものではなく、理解容易のため、適宜、構成の一部を省略して描いている。なお、図１〜３は、本発明の第一の実施形態にあたり、図４および図５は第二の実施形態にあたり、図６は第三の実施形態にあたる。第一の実施形態と、第二の実施形態と、第三の実施形態は、基本的に同様の構成を備えるため、相違する点を中心に説明する。
【００１１】
図１は、車載器１のディスプレイ部１００がチルトして傾いた状態、すなわちディスプレイ部１００が開いた状態を示す外観の斜視図である。なお、画像表示面が、向かって左手前に配置するようにしている。
【００１２】
車載器１は、画像表示面を備えるディスプレイ部１００と、筐体２００と、スライド部３００と、インナーエスカッション４００と、を備えて構成される。
【００１３】
ディスプレイ部１００は、扁平直方体形状のケース内に、ディスプレイ基板を格納している。ディスプレイ部１００の画像表示面には、液晶パネルなどの表示装置の他に、つまみ等、各種の操作ボタンが配置されている。なお、ディスプレイ部１００の正面の一部及び側面は、樹脂製のケースで覆われている。
【００１４】
ディスプレイ部１００の左側の側面であるディスプレイ部左側面の上方には、左側ギヤ部５００が設けられている。図示しないが、同様に、ディスプレイ部１００の右側の側面であるディスプレイ部右側面の上方の左側ギヤ部５００に対応する位置には、右側ギヤ部が設けられている。また、ディスプレイ部右側面の下方と、ディスプレイ部左側面の下方とには、それぞれにディスプレイ部１００を支持する支持部取付け部が設けられている。
【００１５】
筐体２００は、ディスプレイ部１００側の面が開放された箱型の部材である。筐体２００内には、ＣＤやＤＶＤのドライブユニット、ハードディスク、各種処理を行うための回路基板等が格納されている。なお、筐体２００は、金属等の導電性のある素材により構成される。
【００１６】
また、図示しないが、筐体２００には、スライド部３００がスライド移動を行うためのガイドとなるレールと、スライド移動の駆動源となるモータと、モータの駆動力をスライド部３００に伝えるギア等が配置されている。
【００１７】
スライド部３００は、筐体２００内のレールに沿ってスライドするアーム部３２０と、ディスプレイ部１００とヒンジ結合しディスプレイ部１００を支持するディスプレイ支持部とを備えている。アーム部３２０は、ギアを介してモータと連結しており、モータの駆動方向に応じて、インナーエスカッション４００の主面に直交する方向（図１の左手前方向およびその反対方向）にスライド移動する。
【００１８】
ディスプレイ支持部には、ディスプレイ部１００のディスプレイ支持部取付け部に対向する部分に、ネジ貫通孔が設けられており、ネジ貫通孔に取り付けられるネジは、ネジ貫通孔を貫通して、ディスプレイ支持部取付け部に結合する。これにより、ヒンジ機構が構成され、ディスプレイ部１００は、ネジの軸を中心に回転可能である。
【００１９】
インナーエスカッション４００は、ディスプレイ部１００を筐体２００に収納するための部材であり、ディスプレイ部１００の画像表示面の背面側の形状に対応した箱型をしている。インナーエスカッション４００は、矩形の主面と、その４つの辺に結合した上下左右の壁面とからなる。
【００２０】
インナーエスカッション４００の主面は、ディスプレイ部１００の収納時においてディスプレイ部１００の背面と対向する面である。上下左右の４つの壁面は、ディスプレイ部１００の収納時にディスプレイ部１００の左右上下の側面と対向する面である。
【００２１】
インナーエスカッション４００の左右の内壁面である左側壁面４１１Ｌ、右側壁面には、ディスプレイ部１００の左側面および右側面にそれぞれ設けられた左側ギヤ部５００と、右側ギヤ部とが嵌り込み、かつ上下のみにスライド移動を制限する左側壁面溝４１２Ｌ、右側壁面溝が設けられている。ディスプレイ部１００がチルト動作を行うときは、ディスプレイ部１００の左側ギヤ部５００と、右側ギヤ部とは、それぞれ左側壁面溝４１２Ｌ、右側壁面溝に沿って上方向又は下方向にスライド移動する。
【００２２】
また、インナーエスカッション４００には、ＣＤやＤＶＤなどのディスクの挿入、摘出を行うことができるディスク挿入部が設けられている。また、インナーエスカッション４００には、スライド部３００のアーム部３２０がくぐり抜けるためのスライド部材口が設けられている（図１参照）。
【００２３】
なお、インナーエスカッション４００は、筐体２００のディスプレイ部１００側の口型の開放部分に嵌めこまれている。ディスプレイ部１００のチルト動作時には、ディスプレイ部１００の下方部分は、スライド部３００の画像表示面方向への突出に従って、インナーエスカッション４００から引き離される。一方、ディスプレイ部１００の上方部分はインナーエスカッション４００と接近したまま下方向に移動するので、ディスプレイ部１００は、徐々に水平に近づくように傾けられる。これにより、ディスク挿入部が露出し、ユーザは、ＣＤやＤＶＤの交換を行うことができる。
【００２４】
一方、ディスプレイ部左側面の上方に設けられた左側ギヤ部５００は、ギヤの先端部がインナーエスカッション４００の左側の壁面である左側壁面４１１Ｌの内側に設けられた上下方向に延びる溝である左側壁面溝４１２Ｌに嵌り込んでいる（図３参照）。同様に、ディスプレイ部右側面の上方に設けられた右側ギヤ部は、インナーエスカッション４００の右側の壁面である右側壁面の内側に設けられた上下方向に延びる溝である右側壁面溝に嵌り込んでいる。
【００２５】
左側ギヤ部５００は、所定以上の導電性を備える素材、例えば金属あるいは導電性樹脂を含んで構成されており、ギヤの回転支持部とギヤの溝および突起部との間に導電性を備える。ギヤの回転支持部は、導電性を備える部材で構成されており、ディスプレイ部１００の内部基板と電気的に導通される。したがって、ギヤの溝および突起部と、ディスプレイ部１００の内部基板との間に導電性があるといえる。また、右側ギヤ部は、左側ギヤ部５００と基本的に同様の構成を備え、左右対称の形状を備える。
【００２６】
左側ギヤ部５００は、図２Ａに示すように、ディスプレイ部１００が図のＰ方向（鉛直下向きから前面水平方向までのいずれかの方向）への力を受ける際、すなわちディスプレイ部１００がチルト動作を行う際にスライド部３００が突出する際に、左側壁面溝４１２Ｌの前面側縁４１３Ｆに沿って移動し、回転する。前面側縁４１３Ｆには、その延伸方向と直行する方向に起伏する波状の突起（ラック）が複数設けられている。当該波状の突起は、所定以上の導電性を備える素材、例えば金属あるいは導電性樹脂を含んで構成されており、導電性を備える筐体２００との間で導電性を備える。当該波状の突起に接触した状態でディスプレイ部１００が図のＰ方向へ力を受けることで、左側ギヤ部５００は図上時計回りに回転する方向に力を付勢される。したがって、左側ギヤ部５００と、前面側縁４１３Ｆとは、Ｐ方向への力を受ける間は、常に所定の接点（電気的接点および物理的接点）を維持するといえる。
【００２７】
左側ギヤ部５００は、図２Ｂに示すように、ディスプレイ部１００が図のＱ方向への力を受ける際、すなわちディスプレイ部１００がチルト状態から復帰する動作を行う際において、スライド部３００が収納される際に、左側壁面溝４１２Ｌの後面側縁４１３Ｂに沿って移動し、回転する。後面側縁４１３Ｂには、その延伸方向と直行する方向に起伏する波状の突起が複数設けられている。当該波状の突起に接触した状態でディスプレイ部１００が図のＱ方向へ力を受けることで、左側ギヤ部５００は図上時計回りに回転する方向に力を付勢される。したがって、右側ギヤ部と、後面側縁４１３Ｂとは、Ｑ方向への力を受ける間は、常に所定の接点（電気的接点および物理的接点）を維持するといえる。
【００２８】
図３は、インナーエスカッション４００の左側面を、筐体２００の上方から見下ろした状態の断面図を模した図である。図３に示すように、左側ギヤ部５００は、ギヤの回転の中心軸となる所定の導電性を有する軸５１０と、当該軸の回転方向と直交する方向に延びる波状の溝が設けられ、該軸５１０に回転可能に取り付けられたギヤ５２０（いわゆるピニオンギヤ）と、ギヤ５２０と前面側縁４１３Ｆまたは後面側縁４１３Ｂと、の接触をガイドするテーパを有する所定以上の導電性を有するガイド５３０と、ガイド５３０をインナーエスカッション４００の内壁に近づける方向（Ｗ方向）へ付勢する弾性体であるばね５４０と、により構成される。軸５１０は、ギヤの回転支持部であり、ディスプレイ部１００の外側面から、ディスプレイ部１００のチルト動作における移動方向の直交方向と平行な方向に突出するよう設けられている。なお、ギヤ５２０と、ガイド５３０とは、固着されているか、一体成形されているものであるのが望ましい。
【００２９】
ガイド５３０は、本実施形態においては、ギヤ５２０の外径よりも大きい外径を備え、軸５１０の延伸方向に垂直な円形面５３０Ｂを備える。当該円形面５３０Ｂは、軸５１０を中心として回転し、ばね５４０により付勢される力を受け止める。ガイド５３０は、円形面５３０Ｂからギヤ５２０との境界面にかけて徐々にその外径が小さくなり、ギヤ５２０との境界面においてはギヤ５２０の外径と略同一の外径を備える。いいかえると、ガイド５３０は、ギヤ５２０側からばね側に向かって直径が大きくなる円柱状の部材であるといえる。そのため、左側壁面溝４１２Ｌには、ギヤ５２０のみが嵌り込む。なお、図３においては、ガイド５３０は、円形面５３０Ｂからギヤ５２０との境界面にかけて略均一にその外径が小さくなっているが、これに限られず、例えば円形面５３０Ｂからギヤ５２０との境界面にかけて徐々に外径の縮小幅が少なくなるようにしてもよい。このようにすることで、ギヤ５２０の回転をよりスムーズなものとすることができる。
【００３０】
ばね５４０は、本実施形態においては、らせん状のつるまきばねであり、軸５１０の周囲をらせんの中心とするよう取り付けられている。ばね５４０は、軸５１０に回転可能に取り付けられたギヤ５２０と固定されたガイド５３０とを、インナーエスカッション４００の内壁に近づける方向（Ｗ方向）へ付勢する。これにより、ガイド５３０およびギヤ５２０が前面側縁４１３Ｆまたは後面側縁４１３Ｂのいずれかと接触する。また、ディスプレイ部１００に対してＰ方向あるいはＱ方向のいずれかの力が加えられると、ギヤ５２０と、前面側縁４１３Ｆまたは後面側縁４１３Ｂと、の距離、すなわちインナーエスカッションの側面に設けられた前面側縁４１３Ｆおよび後面側縁４１３Ｂのいずれの縁にギヤ歯が噛み合うか、が決定される。
【００３１】
すなわち、ギヤ５２０は、導電性を有し、同様に導電性を有する前面側縁４１３Ｆまたは後面側縁４１３Ｂのいずれかとギヤ歯のいずれかの部位が接触する。したがって、ディスプレイ部１００で発生した電気的ノイズを、シャシーへ逃がすアースの役割を担うことができるといえる。構成に着目すると、ギヤ５２０は、ディスプレイ部１００との電気的導通が可能な素材で構成され、インナーエスカッションの溝部と嵌め合わされることで上下方向に移動を制限され、溝部の底面方向に力を発生させる弾性部材により付勢されているといえる。なお、右側ギヤ部は、左側ギヤ部５００と左右が対称となるように構成されており、同様にアースの役割を担うことができる。
【００３２】
以上、本発明に係る第一の実施形態を説明した。第一の実施形態によると、ディスプレイ部１００で発生した電気的ノイズは、ギヤ５２０を介してシャシーへ逃がされるため、輻射ノイズや静電気への耐性を向上させることができるといえる。
【００３３】
次に、第二の実施形態について、図４および図５を用いて説明する。第二の実施形態では、車載器１の全体的な構成は第一の実施形態で説明した構成と同様の構成を備える。そのため、第一の実施形態との相違を中心に、以下説明する。
【００３４】
図４は、インナーエスカッション４００の左側面を、筐体２００の上方から見下ろした状態の断面図を模した図である。図４に示すように、左側ギヤ部５００は、ギヤの回転の中心軸となる所定の導電性を有する軸６１０と、当該軸の回転方向と直交する方向に延びる波状の溝が設けられ、該軸６１０に回転可能に取り付けられた外側ギヤ６２０および内側ギヤ６３０と、内側ギヤ６３０とディスプレイ部１００の外側面との間に設けられたスペーサー６４０と、により構成される。軸６１０は、外側ギヤ６２０と、内側ギヤ６３０と、の回転支持部であり、ディスプレイ部１００の外側面から、ディスプレイ部１００のチルト動作における移動方向の直交方向と平行な方向に突出するよう設けられている。
【００３５】
外側ギヤ６２０と、内側ギヤ６３０とは、いずれも、所定以上の導電性を備える素材、例えば金属あるいは導電性樹脂を含んで構成されており、ギヤの回転支持部とギヤの溝および突起部との間に導電性を備える。両ギヤの回転支持部である軸６１０は、導電性を備える部材で構成されており、ディスプレイ部１００の内部基板と電気的に導通される。したがって、ギヤの溝および突起部と、ディスプレイ部１００の内部基板との間に導電性があるといえる。また、右側ギヤ部は、左側ギヤ部５００と基本的に同様の構成を備え、左右対称の形状を備える。
【００３６】
外側ギヤ６２０と、内側ギヤ６３０とは、図５Ａに示されるようなはさみばね６５０により互いの位置が調整される機構を備えて、軸６１０を中心として取り付けられる。はさみばね６５０は、軸６１０を中心とするらせん状のばねであり、ばねの両端は、外側ギヤ６２０および内側ギヤ６３０の回転軸と垂直な面にそれぞれ設けられた凹部６２１、６３１にはめ込まれて取り付けられる。はさみばね６５０は、外側ギヤ６２０と内側ギヤ６３０との回転方向に対する相対位置を、ばねの弾性により調整する。なお、望ましくは、外側ギヤ６２０のギヤを構成する突起と、内側ギヤ６３０のギヤを構成する突起とは、若干の位相差があるようはさみばね６５０が取り付けられるのが望ましい。すなわち、外側ギヤ６２０の突起の頂と、内側ギヤ６３０の突起の底（すなわち、溝）とが重なるように取り付けられるのが望ましい。
【００３７】
具体的には、はさみばね６５０は、それぞれの回転の角速度が相異なるように外側ギヤ６２０および内側ギヤ６３０が回転する場合に、両者の角速度の差を吸収する方向に付勢する。つまり、回転による位相のずれを補正するための位相調整手段として機能する。そのため、外側ギヤ６２０と内側ギヤ６３０は、図５Ｂのようにギヤ歯の間隙が一定となるよう付勢され、前面側縁４１３Ｆまたは後面側縁４１３Ｂの波状の突起とほぼ確実に接地することとなる。
【００３８】
すなわち、外側ギヤ６２０および内側ギヤ６３０は、導電性を有し、同様に導電性を有する前面側縁４１３Ｆまたは後面側縁４１３Ｂのいずれかとギヤ歯のいずれかの部位がほぼ確実に接触する。したがって、ディスプレイ部１００で発生した電気的ノイズを、シャシーへ逃がすアースの役割を担うことが可能といえる。なお、右側ギヤ部は、左側ギヤ部５００と左右が対称となるように構成されており、同様にアースの役割を担うことができる。
【００３９】
以上、本発明に係る第二の実施形態を説明した。第二の実施形態によると、ディスプレイ部１００で発生した電気的ノイズは、左側ギヤ部５００および右側ギヤ部を介してシャシーへ逃がされるため、輻射ノイズや静電気への耐性を向上させることができるといえる。
【００４０】
次に、第三の実施形態について、図６を用いて説明する。第三の実施形態では、車載器１の全体的な構成は第一の実施形態で説明した構成と同様の構成を備える。そのため、第一の実施形態との相違を中心に、以下説明する。
【００４１】
図６は、インナーエスカッション４００の左側面を、筐体２００の上方から見下ろした状態の断面図を模した図である。図６に示すように、左側ギヤ部５００は、ギヤの回転の中心軸となる所定の導電性を有する軸５１０と、当該軸の回転方向と直交する方向に延びる波状の溝が設けられ、該軸５１０に回転可能に取り付けられた外側ギヤ６２０および内側ギヤ６３０と、外側ギヤ６２０および内側ギヤ６３０と前面側縁４１３Ｆまたは後面側縁４１３Ｂと、の接触をガイドするテーパを有する所定以上の導電性を有するガイド５３０と、ガイド５３０をインナーエスカッション４００の内壁に近づける方向（Ｗ方向）へ付勢する弾性体であるばね５４０と、により構成される。軸５１０は、ディスプレイ部１００の外側面から、ディスプレイ部１００のチルト動作における移動方向の直交方向と平行な方向に突出するよう設けられている。なお、内側ギヤ６３０と、ガイド５３０とは、固着されているか、一体成形されているものであるのが望ましい。
【００４２】
ガイド５３０は、本実施形態においては、内側ギヤ６３０の外径よりも大きい外径を備え、軸５１０の延伸方向に垂直な円形面５３０Ｂを備える。当該円形面５３０Ｂは、軸５１０を中心として回転し、ばね５４０により付勢される力を受け止める。ガイド５３０は、円形面５３０Ｂから内側ギヤ６３０との境界面にかけて徐々にその外径が小さくなり、内側ギヤ６３０との境界面においては内側ギヤ６３０の外径と略同一の外径を備える。そのため、左側壁面溝４１２Ｌには、外側ギヤ６２０および内側ギヤ６３０が嵌り込む。なお、図６においては、ガイド５３０は、円形面５３０Ｂから内側ギヤ６３０との境界面にかけて略均一にその外径が小さくなっているが、これに限られず、例えば円形面５３０Ｂから内側ギヤ６３０との境界面にかけて徐々に外径の縮小幅が少なくなるようにしてもよい。このようにすることで、内側ギヤ６３０の回転をよりスムーズなものとすることができる。
【００４３】
外側ギヤ６２０と、内側ギヤ６３０とは、いずれも、所定以上の導電性を備える素材、例えば金属あるいは導電性樹脂を含んで構成されており、ギヤの回転支持部とギヤの溝および突起部との間に導電性を備える。また、右側ギヤ部は、左側ギヤ部５００と基本的に同様の構成を備え、左右対称の形状を備える。
【００４４】
外側ギヤ６２０と、内側ギヤ６３０とは、図５Ａに示されるようなはさみばね６５０により互いの位置が調整される機構を備えて、軸５１０を中心として取り付けられる。はさみばね６５０は、軸５１０を中心とするらせん状のばねであり、ばねの両端は、外側ギヤ６２０および内側ギヤ６３０の回転軸と垂直な面にそれぞれ設けられた凹部６２１、６３１にはめ込まれて取り付けられる。はさみばね６５０は、外側ギヤ６２０と内側ギヤ６３０との回転方向に対する相対位置を、ばねの弾性により調整する。なお、望ましくは、外側ギヤ６２０のギヤを構成する突起と、内側ギヤ６３０のギヤを構成する突起とは、若干の位相差があるようはさみばね６５０が取り付けられるのが望ましい。すなわち、外側ギヤ６２０の突起の頂と、内側ギヤ６３０の突起の底（すなわち、溝）とが重なるように取り付けられるのが望ましい。
【００４５】
具体的には、はさみばね６５０は、それぞれの回転の角速度が相異なるように外側ギヤ６２０および内側ギヤ６３０が回転する場合に、両者の角速度の差を吸収する方向に付勢する。そのため、外側ギヤ６２０と内側ギヤ６３０は、図５Ｂのようにギヤ歯の間隙が一定となるよう付勢され、前面側縁４１３Ｆまたは後面側縁４１３Ｂの波状の突起とほぼ確実に接地することとなる。
【００４６】
ばね５４０は、本実施形態においては、らせん状のつるまきばねであり、軸５１０の周囲をらせんの中心とするよう取り付けられている。軸５１０に回転可能に取り付けられた内側ギヤ６３０と固定されたガイド５３０とを、インナーエスカッション４００の内壁に近づける方向（Ｗ方向）へ付勢する。これにより、ガイド５３０と、外側ギヤ６２０と、内側ギヤ６３０のいずれかが前面側縁４１３Ｆまたは後面側縁４１３Ｂのいずれかと接触する。また、ディスプレイ部１００に対してＰ方向あるいはＱ方向のいずれかの力が加えられると、外側ギヤ６２０および内側ギヤ６３０と、前面側縁４１３Ｆまたは後面側縁４１３Ｂと、の距離、すなわちインナーエスカッションの側面に設けられた前面側縁４１３Ｆおよび後面側縁４１３Ｂのいずれの縁にギヤ歯が噛み合うか、が決定される。
【００４７】
すなわち、外側ギヤ６２０および内側ギヤ６３０は、導電性を有し、チルト動作時あるいはチルト収納時には、同様に導電性を有する前面側縁４１３Ｆまたは後面側縁４１３Ｂのいずれかとギヤ歯のいずれかの部位が略確実に接触する。したがって、ディスプレイ部１００で発生した電気的ノイズを、シャシーへ逃がすアースの役割を担うことができるといえる。なお、右側ギヤ部は、左側ギヤ部５００と左右が対称となるように構成されており、同様にアースの役割を担うことができる。
【００４８】
以上、本発明に係る第三の実施形態を説明した。第三の実施形態によると、ディスプレイ部１００で発生した電気的ノイズは、左側ギヤ部５００および右側ギヤ部を介してシャシーへ逃がされるため、輻射ノイズや静電気への耐性を向上させることができるといえる。
【００４９】
なお、上記第一〜第三の実施形態は、様々な変形が可能である。例えば、図３に示したギヤ５２０の形状、配置（例えば、前面側縁４１３Ｆとの間で発生する摩擦力軽減のために、ギヤ５２０の回転軸との間にベアリング等を設ける、あるいは電気的な接触面を増やすためにギヤの形状を変形する等）は、適宜選択することができる。
【００５０】
また、軸５１０に回転可能に取り付けられたギヤ５２０と固定されたガイド５３０とを、インナーエスカッション４００の内壁に近づける方向（Ｗ方向）へ付勢する付勢するばね５４０の代わりに、他の弾性部材、例えばゴム部材等を用いてもよい。その際には、接触面にゴムの摩擦力を軽減する素材（樹脂や金属等の滑りをよくする部材）で覆うようにしてもよい。
【００５１】
また、上記第一の実施形態から第三の実施形態に示された構成に限らず、例えば、図１に示す左側壁面溝４１２Ｌおよび右側壁面溝の両方またはいずれか片方に、筐体２００と電気的に接触する部材を取り付けるようにしてもよい。このようにして左側ギヤ部５００あるいは右側ギヤ部との電気的な導通を確保することで、ディスプレイ部１００からの不要輻射の抑制が可能である。もちろん、図１に示す左側壁面溝４１２Ｌおよび右側壁面溝の両方またはいずれか片方を、筐体２００と電気的に接触する部材で構成するようにしてもよい。
【００５２】
また、上記第一の実施形態から第三の実施形態に示された構成においては、スライド機構においてもアースを行うものであってもよい。具体的には、ディスプレイ支持部取付け部を、ディスプレイ部１００の内部の電子機器の基板のＧＮＤ端子と電気的に接触するように構成し、筐体と電気的に接触するスライド部材３００と当該ディスプレイ支持部取付け部とが電気的に接触するようにしてもよい。
【００５３】
また、上記第一の実施形態から第三の実施形態に示された構成のうち、いずれかの任意の構成を一つだけ適用してもよいし、複数の構成を組み合わせて適用しても良い。例えば、左右両方のギヤ部を電気的に接触させるものに限らず、片方のみ、例えば左側ギヤ部５００のみに対して筐体２００と電気的接触を持つようにしてもよい。すなわち、それぞれの部材の大きさ、重さ、位置、コスト、等によりどの構成を採用するか決めることができる。
【符号の説明】
【００５４】
１・・・車載器、１００・・・ディスプレイ部、２００・・・筐体、３００・・・スライド部材、３２０・・・アーム部、４００・・・インナーエスカッション、４１１Ｌ・・・左側壁面、４１２Ｌ・・・左側壁面溝、４１３Ｆ・・・前面側縁、４１３Ｂ・・・後面側縁、５００・・・左側ギヤ部、５１０・・・軸、５２０・・・ギヤ、５３０・・・ガイド、５３０Ｂ・・・円形面、５４０・・・ばね、６１０・・・軸、６２０・・・外側ギヤ、６２１・・・凹部、６３０・・・内側ギヤ、６３１・・・凹部、６４０・・・スペーサー、６５０・・・はさみばね
【図１】
2013006558.tif 000003
【図２】
2013006558.tif 000004
【図３】
2013006558.tif 000005
【図４】
2013006558.tif 000006
【図５】
2013006558.tif 000007
【図６】
2013006558.tif 000008